(57)【要約】    【課題】  ボルトの回動が、即、通孔の開放につながらないようにした、より安全性の高いマンホール蓋の通孔閉鎖装置を提供する。    【解決手段】  第２ストッパ部材１６をキャップ３とは別体で磁性材料により形成し、工具２０の磁力で第２ストッパ部材１６を吸着し、第１ストッパ部材１５より離間させるように持ち上げることにより円滑に開放でき、ボルト１２の回動が、即、通孔の開放とならないようにしたことを特徴とする。【選択図】            図１
2005307487.tif 000002
【特許請求の範囲】
【請求項１】
マンホール蓋の通孔を覆うキャップと、当該キャップにボルト本体が挿通されボルトの頭部が該キャップの凹部に没入されたボルトと、前記ボルト本体に螺合された第１ストッパ部材と、前記ボルトに遊嵌され当該第１ストッパ部材と前記キャップとの間に位置しかつ前記第１ストッパ部材と斜面を介して当接された第２ストッパ部材と、を有し、前記ボルトの頭部と嵌合する工具により当該ボルトを回し、前記両ストッパ部材を斜面を利用して径方向に拡開し前記通孔内に固定するようにしたマンホール蓋の通孔閉鎖装置であって、
前記第２ストッパ部材は、前記キャップとは別体に構成され、前記工具が前記キャップを介して前記第２ストッパ部材を磁力により吸着するようにしたことを特徴とするマンホール蓋の通孔閉鎖装置。
【請求項２】
前記ボルトの頭部は、異形ヘッドとしたことを特徴とする請求項１に記載のマンホール蓋の通孔閉鎖装置。
【請求項３】
前記工具は、前記ボルトの頭部が嵌合する部分が磁化され、他端部は叩打部としたことを特徴とする請求項１又は２に記載のマンホール蓋の通孔閉鎖装置。
【請求項４】
前記第２ストッパ部材は、前記キャップの下面に当接する上部片と、当該上部片の周縁から垂下され前記通孔の内周壁に当接する側部片とからなる請求項１〜３のいずれかに記載のマンホール蓋の通孔閉鎖装置。
【請求項５】
前記ボルトは、下端部に前記第１ストッパ部材の脱落を防止する脱落防止部材を有する請求項１に記載のマンホール蓋の通孔閉鎖装置。
【発明の詳細な説明】
【技術分野】
【０００１】
本発明は、マンホール蓋に開設された通孔を閉鎖する装置に関する。
【背景技術】
【０００２】
マンホールには、施錠装置が設けられているものがある。この施錠装置は、マンホール上蓋に開設された通孔から、いわゆる「鍵」を入れて開閉を行なうが、この通孔が常時開放されていると、雨水等の侵入により施錠装置に錆びが発生し、作動不良を起す虞があり、また、いたずら等により蓋が開放される虞もあるので、この通孔も閉鎖装置により閉鎖している。
【０００３】
この閉鎖装置は、例えば、実公平７−１６７６８号公報あるいは実公平７‐５４３５４号公報等、従来から種々提案されているが、それぞれ一長一短があることから、最近、下記特許文献１に開示されているマンホール上蓋孔閉塞装置が提案されるに至った。
【０００４】
このマンホール上蓋孔閉塞装置は、概して、マンホール蓋の通孔を覆うキャップと、当該キャップにボルト本体が挿通されボルトの頭部が該キャップの凹部に没入されたボルトと、前記ボルト本体に螺合された第１ストッパ部材と、前記ボルトに遊嵌され当該第１ストッパ部材と前記キャップとの間に位置しかつ前記第１ストッパ部材と斜面を介して当接された第２ストッパ部材と、を有し、前記ボルトを締めることにより第１ストッパ部材を上動し、斜面に当接した第２ストッパ部材をボルトの軸線に対し直角方向に移動し、これにより両ストッパ部材が通孔の内壁面に係合し、通孔を両ストッパで閉鎖するようにしたものである。
【０００５】
このマンホール上蓋孔閉塞装置を開放する場合には、まず、専用工具を使用しボルトを緩め、固定状態の第１ストッパ部材に対しボルトを上動させる。次に、ボルトの頭部をハンマーで叩き、ボルトと共に第１ストッパ部材を下降させ、第１ストッパ部材と第２ストッパ部材の係合状態を解消する。これにより第２ストッパがフリー状態とになるので、当該装置を通孔から取出し、通孔を開放する。
【０００６】
この閉塞装置は、いわゆる楔効果により強固に締め付けて閉鎖することができるので外部からの物理的な力に対抗することができ、ゴム等の弾性体を使用しないので高い耐候性を有し、また、ボルトの頭部と嵌合する特殊な専用工具を使用しないとボルトを回すことができず、ボルトをハンマーで叩かないと、ボルトと共に第１ストッパが下降せず通孔が開かない、という多段階で開放を防止するという優れた機能も有している。
【特許文献１】特開２０００−３０９９３６号公報（要約、段落番号［００１７］〜［００２１］等参照）
【発明の開示】
【発明が解決しようとする課題】
【０００７】
しかし、このマンホール上蓋孔閉塞装置は、ボルトの頭部と嵌合する工具を作成すれば、ボルトを回すことができ、ボルトを回すことができれば、第１ストッパ部材が下降しなくても、第２ストッパとキャップが一体に形成されているので、キャップを外方に強烈に引き上げると、通孔内壁面との係合が外れ、通孔が開放される虞がある。つまり、基本的には何らかの手段でボルトを回すと、通孔が開放される虞があるものとなっている。
【０００８】
本発明は、上記従来技術の課題を解決するためになされたものであり、ボルトの回動が、即、通孔の開放につながらないようにした、より安全性の高いマンホール蓋の通孔閉鎖装置を提供することを目的とする。
【課題を解決するための手段】
【０００９】
本発明の目的は、下記する手段により達成される。
【００１０】
（１）マンホール蓋の通孔を覆うキャップと、当該キャップにボルト本体が挿通されボルトの頭部が該キャップの凹部に没入されたボルトと、前記ボルト本体に螺合された第１ストッパ部材と、前記ボルトに遊嵌され当該第１ストッパ部材と前記キャップとの間に位置しかつ前記第１ストッパ部材と斜面を介して当接された第２ストッパ部材と、を有し、前記ボルトの頭部と嵌合する工具により当該ボルトを回し、前記両ストッパ部材を斜面を利用して径方向に拡開し前記通孔内に固定するようにしたマンホール蓋の通孔閉鎖装置であって、前記第２ストッパ部材は、前記キャップとは別体に構成され、前記工具が前記キャップを介して前記第２ストッパ部材を磁力により吸着するようにしたことを特徴とするマンホール蓋の通孔閉鎖装置。  
【００１１】
（２）前記ボルトの頭部は、異形ヘッドとしたことを特徴とする前記(1)のマンホール蓋の通孔閉鎖装置。  
【００１２】
（３）前記工具は、前記ボルトの頭部が嵌合する部分が磁化され、他端部は叩打部としたことを特徴とする前記(1)又は(2)のマンホール蓋の通孔閉鎖装置。  
【００１３】
（４）前記第２ストッパ部材は、前記キャップの下面に当接する上部片と、当該上部片の周縁から垂下され前記通孔の内周壁に当接する側部片とからなる前記(1)〜(3)のマンホール蓋の通孔閉鎖装置。  
【００１４】
（５）前記ボルトは、下端部に前記第１ストッパ部材の脱落を防止する脱落防止部材を有する前記(1)のマンホール蓋の通孔閉鎖装置。
【発明の効果】
【００１５】
請求項１の発明では、第２ストッパ部材をキャップとは別体で磁性材料により形成し、工具の磁力で第２ストッパ部材を吸着するようにしたので、磁力により第２ストッパ部材を持ち上げないと、通孔から閉鎖装置を円滑に引き出すことができず、従来技術のように、ボルトの回動が、即、通孔の開放につながることはなく、より安全性の高い装置となる。
【００１６】
請求項２の発明は、ボルトの頭部を異形ヘッドとしたので、通孔閉鎖装置を開放する工具を作成しにくく、一層安全性の高いものとなる。
請求項３の発明は、工具の一端部を磁化させた嵌合部とし、他端部を叩打部としたので、磁力でキャップや第２ストッパ部材を吸着した後に、直ちに叩打操作を行なうことができ、作動性の良いものとなる。
【００１７】
請求項４の発明は、第２ストッパ部材を中空体により構成したので、磁力により上昇しやすく、作動性の良いものとなる。
【００１８】
請求項５の発明は、ボルトの下端部に第１ストッパ部材の脱落防止部材を設けたので、作動不良の少ない、安全なものとなる。
【発明を実施するための最良の形態】
【００１９】
以下、添付した図面を参照して、本発明の実施の形態を説明する。  
【００２０】
図１は本発明の実施形態に係るマンホール蓋の通孔閉鎖装置であり、図２の１−１線に沿う断面相当図、図２は図１の平面図である。
【００２１】
図１，２に示すように、マンホール１は、枠体２の内部に中蓋（図示せず）を有し、路面部分となる上蓋３が枠体２の上端に設けられている。この上蓋３（以下、マンホール蓋と称することがある）は、外部から自由に開閉されないように、内部に枠体２との間で施錠する施錠装置４が設けられている。
【００２２】
この施錠装置４は、上蓋３に開設された楕円状の通孔５から、鍵（図示せず）を鍵穴６に入れ、ストライカ７を突出し、枠体２側の係合壁８と係合し、施錠を行なう。
【００２３】
前記通孔５には、図３，４に詳示されている本実施形態に係る通孔閉鎖装置１０が設けられている。ここに、図３は同通孔閉鎖装置の閉鎖状態を示し、（Ａ）は断面図、（Ｂ）は底面から見た図であり、図４は同通孔閉鎖装置が開放状態を示し、（Ａ）は断面図、（Ｂ）は底面から見た図である。
【００２４】
図３に示すように、この通孔閉鎖装置１０は、マンホール蓋３の楕円状通孔５を覆う円形のキャップ１１を有している。このキャップ１１は、周囲がマンホール蓋３の上面３ａとの段差が小さくなるように薄く形成された中高の円盤形状であり、中央部分に円形の凹部１１ａが形成されている。この凹部１１ａには、ボルト１２の頭部１３が没入され、外部から作用する種々の力の影響を受けないようにしている。このボルト１２の頭部１３の形状は、通常の６角形であるが、この形状は、容易に後述の工具２０を作ることができるので、好ましくなく、他の形状、例えば、４又は５角形等という異形形状とすることが好ましい。
【００２５】
このボルト１２の本体１４は、凹部１１ａに開設された通孔１１ｂを挿通し垂下されているが、このボルト本体１４の下部には、第１ストッパ部材１５が螺合され、下端部には、当該第１ストッパ部材１５の脱落を防止する、例えば、割ピンあるいはＥリング等からなる脱落防止部材Ｒが設けられている。また、当該第１ストッパ部材１５とキャップ１１との間には第２ストッパ部材１６が配置されている。
【００２６】
第１ストッパ部材１５は、第２ストッパ部材１６と当接する斜面１５ａと、前記通孔５の内周壁５ａに当接する半楕円形状の側面１５ｂとを有する中実体である。これにより第１ストッパ部材１５は、ボルト本体１４との螺合部分が多く、円滑に昇降作動し易いものとなる。
【００２７】
第２ストッパ部材１６は、図３，４に示すように、キャップ１１の下面１１ｃに当接する水平な上部片１７と、当該上部片１７の周縁から垂下され、通孔５の内周壁５ａに当接する側部片１８とからなり、いわば、断面アングル状の中空体である。これにより第２ストッパ部材１６は、比較的軽量となり、後述する磁石に吸着され、上昇し易いものとなる。
【００２８】
この第２ストッパ部材１６の上部片１７と側部片１８の内端面は、第１ストッパ部材１５の斜面１５ａと当接される斜面１６ａとされ、側部片１８の外周面は、通孔５の内周面５ａに当接する半楕円形状の側面１６ｂとなっている。また、前記上部片１７には、ボルト本体１４が遊嵌される長孔１９が開設されている。
【００２９】
前記ボルト１２は、図５に示すような工具２０により回動される。この工具２０は、円柱状の本体部２１と、この本体部２１から突出された把手部２２とを有している。本体部２１の下端には、異形形状のボルト１２の頭部１３と嵌合するように所定形状とされた凹部２３が形成されている。
【００３０】
特に、本実施形態では、工具２０の本体部２１の下端部分は、前記第２ストッパ部材１６を磁気的に吸着する磁力を有し、他端部は叩打部２４とされている。この磁気は、前記キャップ１１とは別体に形成された第２ストッパ部材１６を吸着し、円滑な通孔５の開放を行なうためである。したがって、キャップ１１及び第２ストッパ部材１６は、工具２０の磁力により吸着されるように磁性材料により構成している。
【００３１】
なお、前記工具２０の磁化する部分は、ボルト１２の頭部１３が嵌合する凹部２３及びその周辺部分であることが好ましい。工具２０の磁力によって強力にキャップ１１及び第２ストッパ部材１６を吸着できるからである。
【００３２】
次に、作用を説明する。
【００３３】
＜通孔閉鎖装置の取付＞
通孔５内に閉鎖装置１０を取付けるには、まず、図４（Ａ）（Ｂ）に示すように、キャップ１１にボルト１２の本体１４を挿通し、ボルト１２の下部に第１ストッパ部材１５と第２ストッパ部材１６を位置させる。これにより第２ストッパ部材１６は、長孔１９とボルト本体１４が緩く嵌合したフリーの状態となり、通孔５内に収納できる。
【００３４】
この状態でキャップ１１内のボルト１２の頭部１３に、図５に示すように、工具２０を嵌合し、締める方向に回動すると、ボルト１２の本体１４に螺合された第１ストッパ部材１５が上動する。
【００３５】
この上動に伴って、第１ストッパ部材１５の斜面１５ａに沿って第２ストッパ部材１６も上動するが、この第２ストッパ部材１６は、上部片１７に形成されている長孔１９の端部とボルト１２の本体１４が当接するまでは、径方向外方に移動することになり、この当接が行なわれると、上動を開始することになる。
【００３６】
そして、図３（Ａ）（Ｂ）に示すように、第２ストッパ部材１６の上部片１７がキャップ１１の下面１１ｃに当接すると、第２ストッパ部材１６の上動は停止するが、第１ストッパ部材１５は、さらに上動する。
【００３７】
この上動に伴って、第１ストッパ部材１５は、その斜面１５ａで第２ストッパ部材１６をボルト１２の軸線に対し直角方向、つまり、径方向に移動し、両ストッパ部材１５，１６の側面１５ｂ，１６ｂが拡開し、通孔５の内周面５ａに当接する。
【００３８】
さらに、第１ストッパ部材１５を上動させると、両ストッパ部材１５，１６の側面１５ｂ，１６ｂが通孔５の内周面５ａに強力に圧接され、ロックされる。これにより通孔５は、キャップ１１に閉鎖され、閉鎖装置１０の取付が完了する。
【００３９】
＜通孔閉鎖装置の正常な開放操作＞
図５は通孔閉鎖装置の工具操作開始時の状態を示す断面図、図６は通孔閉鎖装置の工具操作中の状態を示す断面図である。まず、工具２０を、図５に示すように、ボルト１２の頭部１３に嵌合し、ボルト１２を緩める方向に回す。
【００４０】
両ストッパ部材１５，１６は、半楕円状の側面１５ｂ，１６ｂが楕円状の通孔５の内周面５ａに強固に当接し、ロック状態であるため、ボルト１２を緩める方向（図６の矢印方向）に回すと、ストッパ部材１５，１６が通孔５内で空転することなく、ボルト１２は上動する。
【００４１】
このボルト１２が、僅かに上動した所で、工具２０の反対側の面の叩打部２４でボルト１２の頭部１３を（図６の白抜き矢印で示すように）叩く。この結果、第１ストッパ部材１５が、僅かに下降し、両ストッパ部材１５，１６の斜面１５ａ，１６ａ間あるいは側面１５ｂ，１６ｂ間に作用している大きな加圧力は大幅に軽減する。
【００４２】
そこで、再度、工具２０の凹部２３側、つまり、磁化している側をボルト１２の頭部１３上にセットすると、この磁力により第２ストッパ部材１６がキャップ１１の下面１１ｃに引き付けられる。特に、本実施形態では、第２ストッパ部材１６を、前述のようにアングル状の中空体とし、軽量化を図っているので、前記第２ストッパ部材１６は、磁力により比較的容易にキャップ１１に引き付けることができる。
【００４３】
この結果、両ストッパ部材１５，１６間に作用している加圧力はなくなるので、閉鎖装置１０を外部に引き出すことができる。
【００４４】
なお、１回叩打したのみでは第１ストッパ部材１５が十分に下降せず、閉鎖装置１０を引き出しにくい場合は、ボルト１２をさらに緩める方向に回し、ボルト１２をさらに突出させる。なお、この突出量は、抜け止め部材Ｒによって制限されるので、ボルト１２を緩める方向に回しても、第１ストッパ部材１５が落下ずることはない。
【００４５】
そして、再度工具２０の叩打部２４でボルト１２の頭部１３を叩き、第１ストッパ部材１５をさらに下降させ、両ストッパ部材１５，１６間に生じる隙間を大きくした後、工具２０の磁化している部分をボルト１２の頭部１３上に近づけると、第２ストッパ部材１６がキャップ１１の下面１１ｃに確実に引き付けられ、両ストッパ部材１５，１６間に作用している力なくすことができ、閉鎖装置１０を簡単に引き出すことができる。
【００４６】
＜通孔閉鎖装置の不正操作＞
仮に、ボルト１２の頭部１３と同形状で、磁化されていない工具を作成し、この工具を、図７に示すように、ボルト１２の頭部１３に嵌合し、ボルト１２を緩める方向に回したとする。ここに、図７は、不正操作した場合の状態を示す断面図である。
【００４７】
両ストッパ部材１５，１６は、側面１５ｂ，１６ｂが通孔５の内周面５ａに強固に当接し、ロック状態であるため、ボルト１２は、上述した場合と同様に上動することになる。一方、キャップ１１は、第２ストッパ部材１６とは別体に構成されているので、マンホール蓋３上に残る。場合によっては、図中一点鎖線で示すようにボルト１２と共に上動する。
【００４８】
次に、このボルト１２を持って上方に引き上げ、閉鎖装置１０全体を引き抜こうとした場合、第１ストッパ部材１５の斜面１５ａが第２ストッパ部材１６の斜面１６ａを押圧し、この引き抜こうとする力により第２ストッパ部材１６が通孔５の内周面５ａに押付けられ、いわゆる楔効果により引き抜くことはできない。この力が強力であればあるほど、強力に引き抜きを阻止する。
【００４９】
また、キャップ１１と共にボルト１２を上方に引き上げて、閉鎖装置１０全体を引き抜こうとした場合も前記同様で、第２ストッパ部材１６とキャップ１１とは一体に構成されていないので、両ストッパ部材１５，１６と通孔内壁面５ａとの係合が外れることはなく、通孔５は開放されない。
【００５０】
さらに、上動したボルト１２を叩打する場合もある。この叩打により第１ストッパ部材１５がある程度下降し、第２ストッパ部材１６との間に隙間が生じたとする。この状態で、閉鎖装置１０全体を引き抜こうとした場合、第２ストッパ部材１６は、キャップ１１とは一体に構成されていないので、磁力で上方に引き上げられず、第１ストッパ部材１５の上に乗ったままである。
【００５１】
したがって、前記同様で、第１ストッパ部材１５の斜面１５ａが第２ストッパ部材１６の斜面１６ａを押圧し、この引き抜こうとする力により第２ストッパ部材１６が通孔５の内周面５ａに押付けられ、楔効果により引き抜くことはできない。
【００５２】
つまり、本実施形態の閉鎖装置１０は、何らかの手段でボルト１２を回しても、即、通孔５の開放につながることはなく、必ず磁力により第２ストッパ部材１６を持ち上げなければ、開放できないことになる。この結果、一層安全性の高いマンホール蓋の通孔閉鎖装置とすることができる。
【００５３】
本発明は、上記した実施形態のみに限定されるものではなく、特許請求の範囲内において、種々改変することができる。例えば、前記実施形態では、楕円形状の通孔内にストッパ部材を配したものであるが、必ずしもこれに限定されるものではなく、矩形など種々の形状をした通孔にも適用できる。
【００５４】
また、ボルトの頭部は、異形ヘッドでなく、場合によって通常の形状をしたものであっても良く、中実の第１ストッパ部材や中空の第２ストッパ部材も必ずしもこのようなものでなくても良い。
【００５５】
さらに、ボルト、両ストッパ部材及びキャップの各軸方向長さ所定長に設定し、ボルトの脱落防止部材が第１ストッパ部材に当接した最上位に位置したとき、ボルトの頭部がキャップの凹部から抜け出ないように寸法設定すれば、一層ボルトの掴み操作等を行ないにくくなり、より安全性が向上する可能性もある。
【図面の簡単な説明】
【００５６】
【図１】本発明の実施形態に係るマンホール蓋の通孔閉鎖装置の断面図である。
【図２】図１の平面図である。
【図３】同通孔閉鎖装置の閉鎖状態を示し、（Ａ）は断面図、（Ｂ）は底面から見た図である。
【図４】同通孔閉鎖装置が開放状態を示し、（Ａ）は断面図、（Ｂ）は底面から見た図である。
【図５】通孔閉鎖装置の工具操作開始時の状態を示す断面図である。
【図６】通孔閉鎖装置の工具操作中の状態を示す断面図である。
【図７】不正解放操作時の状態を示す断面図である。
【符号の説明】
【００５７】
３…マンホール蓋、
５…通孔、
１１…キャップ、
１１ａ…キャップの凹部、
１１ｃ…キャップの下面、
１２…ボルト、
１３…ボルトの頭部、
１４…ボルト本体、
１５…第１ストッパ部材、
１６…第２ストッパ部材、
１５ａ，１６ａ…斜面、
１５ｂ，１６ｂ…側面、
２０…工具、
２４…叩打部、
Ｒ…脱落防止部材。
【図１】
2005307487.tif 000003
【図２】
2005307487.tif 000004
【図３】
2005307487.tif 000005
【図４】
2005307487.tif 000006
【図５】
2005307487.tif 000007
【図６】
2005307487.tif 000008
【図７】
2005307487.tif 000009